(57)【要約】【課題】メンテナンス等における解体・再構築を最小限とすることができ、しかも、同一製品での対応を可能とすることができる凝縮水ドレン排出用トラップを提供する。【解決手段】空気調和装置本体２１による冷却に伴って発生する凝縮水が流入する可撓性パイプからなる管体２３の接続端寄りに雌型コネクター２４が複数設けられ、管体２２の先端寄りに管体２２をループ状に屈曲変形させた状態で任意の雌型コネクター２４と係合する雄型コネクター２５とを備えている。【選択図】        図１
2004332839.tif 000002
【特許請求の範囲】
【請求項１】
空気調和装置本体による冷却に伴って発生する凝縮水が流入する可撓性パイプと、該可撓性パイプの接続端寄りに複数設けられた雌雄何れか一方の接続コネクターと、前記可撓性パイプの先端寄りに設けられて前記可撓性パイプをループ状に屈曲変形させた状態で前記接続コネクターに係合する雌雄何れか他方の接続コネクターとを備えていることを特徴とする凝縮水ドレン排出用トラップ。
【請求項２】
前記可撓性パイプには、金属性メッシュ入り可撓性パイプが用いられていることを特徴とする請求項１に記載の凝縮水ドレン排出用トラップ。
【発明の詳細な説明】
【０００１】
【発明の属する技術分野】
本発明は、空気調和装置の凝縮水ドレン排出用トラップに関する。
【０００２】
【従来の技術】
従来から、対象となる建物内の温度を調節する空調設備においては、外気を空気調和装置に導いてその外気を冷却又は加熱し、送風機等により建物内に所定の温度の空気として送風している。
【０００３】
図５並びに図６は、このような空調設備の一例を示し（例えば、特許文献１参照）、１は外気を取り入れる空気取入部（室外機）、２は空気取入部１の下流側に配置された送風機、３は空気取入部１で取り入れた空気を調温する空気調和装置本体である。
【０００４】
送風機２の負圧によって空気取入部１に取り入れられた外気は、空気取入部１内に配置されたフィルタ４で塵埃等が除去された後、送風機２を経由して空気調和装置本体３の冷却・加熱部５に導入される。
【０００５】
この冷却・加熱部５には、冷（温）水コイル６が配設されており、空気との熱交換により調節を行った後にダクト（図示せず）を介して建物内の各室へと送られる。
【０００６】
一方、冷（温）水コイル６によって凝縮された水は、冷（温）水コイル６の下方に配置されたドレンパン７に集水された後、ドレン配管８により空気調和装置本体１の外部に設置されたドラムトラップ９に貯留され、所定の上水位以上の貯留水１０が排水管１１から流出される。
【０００７】
ドラムトラップ９はドレン配管８が正圧であるため、溜まったドレン（封水）１０により大気との間で水封を行う機能を有する。
【０００８】
このような空調設備では、夏期にあっては空気調和装置本体１内に設備された冷（温）水コイル６によって空気を冷却することにより凝縮水が発生する。
【０００９】
この凝縮水は、配管によって空気調和装置本体３の外部へと導かれるが、空気調和装置本体３内の圧力は、空気調和装置本体３の上流側又は下流側に送風機２が接続されていることから、空気調和装置本体３の外部圧力とに差が生じ、凝縮水の排出が困難となる。
【００１０】
そこで、空気調和装置本体３に接続された凝縮水排出用のドレン配管８の下流側にドラムトラップ９を設け、その中に水を張り、ドレン配管８の先端を水没させることによって空気調和装置本体３の内外の圧力差を相殺し、ドラムトラップ９内の排水を容易にしている。
【００１１】
この凝縮水は、夏期においては略連続的（連日的）に冷却を行うため、凝縮水は連続して排出されることから、ドラムトラップ９内に張った封水が途切れることがないが、冷房を行わない冬期においては、凝縮水が発生しないため、ドラムトラップ９内の封水は気化により減少し、やがてなくなってしまう。
【００１２】
従って、冷房から暖房に切り替えられる時期には、ドラムトラップ９や配水管１１の解体並びに再構築を行う必要がある。
【００１３】
尚、上述したドラムトラップ９の廃止、若しくは封水の相乗効果を発揮するものとして、上下方向に屈曲した所謂Ｓ字配管というものが周知である。
【００１４】
このＳ字配管は、上述した空調設備のみならず、家庭用流し台等における配水管等でも使用されており、複数の塩ビ管や金属管をエルボ等で屈曲させつつＳ字に接続するものである。
【００１５】
【特許文献１】
特開平１１−９４１９４号公報
【００１６】
【発明が解決しようとする課題】
ところで、上述した凝縮水ドレン排出用トラップにあっては、冷房から暖房に切り替えられる時期には、ドラムトラップ９や配水管１１の解体並びに再構築をが非常に面倒であるという問題が生じていた。
【００１７】
また、ドラムトラップ９を廃止してＳ字配管のみとした場合にあっても、このＳ字配管の解体・再構築は非常に面倒である。
【００１８】
さらに、このようなＳ字配管にあっては、空調設備の施工現場毎に異なるトラップ高さ（貯水高さ）の調節や配管先端（下端）の地上高の調節を考慮すると、専用品となってしまうことが多く、同一の製品とすることが困難で、汎用性が低いという問題も生じていた。
【００１９】
本発明は、上記問題を解決するため、メンテナンス等における解体・再構築を最小限とすることができ、しかも、同一製品での対応を可能とし得る凝縮水ドレン排出用トラップを提供することを目的とする。
【００２０】
【課題を解決するための手段】
その目的を達成するため、本発明の凝縮水ドレン排出用トラップは、空気調和装置本体による冷却に伴って発生する凝縮水が流入する可撓性パイプと、該可撓性パイプの接続端寄りに複数設けられた雌雄何れか一方の接続コネクターと、前記可撓性パイプの先端寄りに設けられて前記可撓性パイプをループ状に屈曲変形させた状態で前記接続コネクターに係合する雌雄何れか他方の接続コネクターとを備えていることを特徴とする。
【００２１】
また、本発明の凝縮水ドレン排出用トラップは、前記可撓性パイプには、金属性メッシュ入り可撓性パイプが用いられていることを特徴とする。
【００２２】
【発明の実施の形態】
次に、本発明の凝縮水ドレン排出用トラップの実施の形態を図面に基づいて説明する。
【００２３】
図１は本発明の凝縮水ドレン排出用トラップの正面図、図２は本発明の凝縮水ドレン排出用トラップの側面図、図３（Ａ）は本発明の凝縮水ドレン排出用トラップの雌型アダプターの正面図、図３（Ｂ）は本発明の凝縮水ドレン排出用トラップの雌型アダプターの断面図、図４（Ａ）は本発明の凝縮水ドレン排出用トラップの雄型アダプターの正面図、図４（Ｂ）は本発明の凝縮水ドレン排出用トラップの雄型アダプターの断面図である。
【００２４】
図１及び図２において、２１は空気調和装置本体（若しくはドレイントラップ９に相当する空調設備品）、２２は空気調和装置本体２１に接続されたトラップである。
【００２５】
トラップ２２は、可撓性と保形性とを有するように螺旋状の切り込みが形成された金属性パイプを金属線或いは樹脂線からなるメッシュで覆うと共にパイプ内外を樹脂層でコーティングした管体２３と、この管体２３の接続端寄りに複数設けられた雌型アダプター２４と、管体２３の先端寄りに設けられて雌型アダプター２４の任意もののと係合可能な雄型アダプター２５とを備えている。尚、管体２３の接続端は空気調和装置本体２１の接続部２１ａに容易に着脱可能な嵌合構造（公知の配管接続構成で良い）にて接続されている。
【００２６】
尚、管体２３は、その屈曲を許容するように可撓性を有すると共に、その屈曲後には、若干のスプリングバックがあるものの、その屈曲状態が維持されるものであるが、金属製メッシュ入り可撓性管体で且つ耐水性を有するものであれば、特に限定されるものではない。
【００２７】
雌型アダプター２４は、図３（Ａ），（Ｂ）に示すように、円筒状の本体の外壁と一体に設けられて上方に開放する溝部２４ａと、この溝部２４ａに連なるように外壁に形成された略Ｌ字形状の係合溝２４ｂとを備えている。尚、この雌型アダプター２４は、円筒形状の物でも良いし、断面Ｃ型としてその両端の対向間隔をネジ等で調節する締め付け方式の物でも良い。
【００２８】
雄型アダプター２５は、図４（Ａ），（Ｂ）に示すように、円筒状の本体の外壁から突出された係合突起２５ａを備えている。
【００２９】
このような構成において、トラップ２２は、その接続端を空気調和装置本体２１の接続部２１ａに接続した状態で、管体２３をループ状としつつ任意の雌型アダプター２４に対してその係合溝２４ｂに係合突起２５ａを係合させることにより、管体２３の微小な復帰力（スプリングバック）により係合状態が確実なものとなったうえで、その屈曲状態（ループ状）が維持される。
【００３０】
これにより、管体２３のループ形状によりドレン効果を奏することができる。また、このループ形状の直径並びに管体２３の下端高さは、係合突起２５ａを係合させる係合溝２４ｂの雌型アダプター２４を選択することにより適宜調整することができる。
【００３１】
また、管体２３のメンテナンス時には、係合突起２５ａと係合溝２４ｂとの係合状態を解除すると共に管体２３の接続部２１ａと接続状態を解除したうえで、管体２３の屈曲状態を強制的に戻して略直線状態とするだけで、管体２３の内部の清掃等を容易に行うことができる。
【００３２】
このように、トラップ２２は、ドレン形状とメンテナンス形状とに容易に変形可能であるうえ、公知の接続構造により容易に空気調和装置本体２１との接続・離脱が可能となり、しかも、同一規格のトラップ２２を異なった設置場所でも使用可能とすることができ、汎用性が向上される。
【００３３】
ところで、上述した雌型アダプター２４と雄型アダプター２５とは逆でも良いことは勿論である。
【００３４】
また、管体２３の先端は切断可能となっていて、施工現場ごとでこの先端を切断することで容易に現場対応が可能となる。
【００３５】
さらに、雌型アダプター２４の設置数や位置は任意である。
【００３６】
【発明の効果】
本発明の凝縮水ドレン排出用トラップにあっては、以上説明したように構成したことにより、メンテナンス等における解体・再構築を最小限とすることができ、しかも、同一製品での対応を可能とすることができる。
【図面の簡単な説明】
【図１】本発明の実施の形態に係わる凝縮水ドレン排出用トラップの正面図である。
【図２】本発明の凝縮水ドレン排出用トラップの側面図である。
【図３】（Ａ）は本発明の凝縮水ドレン排出用トラップの雌型アダプターの正面図、（Ｂ）は本発明の凝縮水ドレン排出用トラップの雌型アダプターの断面図である。
【図４】（Ａ）は本発明の凝縮水ドレン排出用トラップの雄型アダプターの正面図、（Ｂ）は本発明の凝縮水ドレン排出用トラップの雄型アダプターの断面図である。
【図５】従来の凝縮水ドレン排出用トラップの説明図である。
【図６】従来のドレントラップの断面図である。
【符号の説明】
２１  空気調和装置本体、２２  トラップ、２３  管体、２４  雌型コネクター、２５  雄型コネクター。
【図１】
2004332839.tif 000003
【図２】
2004332839.tif 000004
【図３】
2004332839.tif 000005
【図４】
2004332839.tif 000006
【図５】
2004332839.tif 000007
【図６】
2004332839.tif 000008